(57)【要約】【課題】簡単操作で出力を所望するコンテンツを指定できる。【解決手段】記録メディア再生装置付デジタルチューナ１は外部に接続されているモニタ装置１２に出力するデジタルコンテンツの対象として、デジタル放送信号ＤＳをチューナ４により受信して取得したもの、およびＨＤ装置３に予め記録されており、ここから読出したものを含む。ユーザがモニタ装置１２に出力するデジタルコンテンツを選択切換えするためのリモコン１１の共通したキー操作をする毎に、デジタル放送信号ＤＳによるデジタルコンテンツおよびＨＤ装置３に記録されているデジタルコンテンツのいずれかが順次選択されて、選択されたデジタルコンテンツはチューナ４およびＨＤ装置３のいずれかにより取得されてデコーダ５に与えられるので、デコーダ５は与えられたデジタルコンテンツをデコードしてモニタ装置１２に出力する。【選択図】        図１
2004328499.tif 000002
【特許請求の範囲】
【請求項１】
デジタル放送信号を受信する放送受信部と、
予めデジタルコンテンツが記録されている記録媒体と、
前記記録媒体から前記デジタルコンテンツを読出すコンテンツ読出部と、
予め準備されたモニタに出力すべきデジタルコンテンツを切換えるために操作される切換部と、
前記放送受信部で受信可能な１つ以上のチャンネルのそれぞれで放送されるデジタルコンテンツおよび前記記録媒体に記録されたデジタルコンテンツを少なくとも含むコンテンツ群から、前記切換部が操作される毎に前記モニタに出力すべきデジタルコンテンツを選択的に順次切換える出力コンテンツ切換制御部とを備え、
前記出力コンテンツ切換制御部は、
前記デジタル放送信号の１つ以上のチャンネルをそれぞれ識別する情報と前記記録媒体に記録された１つ以上のデジタルコンテンツをそれぞれ識別する情報とが登録された登録部と、
前記切換部が操作される毎に、前記登録部に登録された前記識別情報を順次選択して、選択された前記識別情報を出力する選択部とを有し、
前記放送受信部は、
前記選択部から出力された前記識別情報を入力したとき、受信する前記デジタル放送信号のうちから、入力した前記識別情報により識別される前記チャンネルで放送されるデジタルコンテンツを抽出する放送コンテンツ抽出部を有し、
前記コンテンツ読出部は、
前記選択部から出力された前記識別情報を入力したとき、入力した前記識別情報により識別される前記デジタルコンテンツを、前記記録媒体から読出し、
前記放送コンテンツ抽出部から前記デジタルコンテンツが抽出されたとき、または前記コンテンツ読出部により前記記録媒体から前記デジタルコンテンツが読出されたとき、該デジタルコンテンツを入力して、前記モニタに出力するためのモニタ出力部と、
前記モニタ出力部によりデジタルコンテンツが前記モニタに出力されるとき、出力されるデジタルコンテンツは前記デジタル放送信号から抽出されたか、前記記録媒体から読出されたかを特定するための情報を前記モニタに出力する特定情報出力部とをさらに備え、
前記特定情報は、出力されているデジタルコンテンツの前記識別情報を含み、前記記録媒体にはハードディスクまたはＤＶＤが含まれる、コンテンツ記録媒体を有するデジタル放送受信装置。
【請求項２】
デジタル放送信号を受信する放送受信部と、
予めデジタルコンテンツが記録されている記録媒体と、
前記記録媒体から前記デジタルコンテンツを読出すコンテンツ読出部と、
予め準備されたモニタに出力すべきデジタルコンテンツを切換えるために操作される切換部と、
前記放送受信部で受信可能な１つ以上のチャンネルのそれぞれで放送されるデジタルコンテンツおよび前記記録媒体に記録されたデジタルコンテンツを少なくとも含むコンテンツ群から、前記切換部が操作される毎に前記モニタに出力すべきデジタルコンテンツを選択的に順次切換える出力コンテンツ切換制御部とを備える、コンテンツ記録媒体を有するデジタル放送受信装置。
【請求項３】
前記出力コンテンツ切換制御部は、
前記デジタル放送信号の１つ以上のチャンネルをそれぞれ識別する情報と前記記録媒体に記録された１つ以上のデジタルコンテンツをそれぞれ識別する情報とが登録された登録部と、
前記切換部が操作される毎に、前記登録部に登録された前記識別情報を順次選択して、選択された前記識別情報を出力する選択部とを有し、
前記放送受信部は、
前記選択部から出力された前記識別情報を入力したとき、受信する前記デジタル放送信号のうちから、入力した前記識別情報により識別される前記チャンネルで放送されるデジタルコンテンツを抽出する放送コンテンツ抽出部を有し、
前記コンテンツ読出部は、
前記選択部から出力された前記識別情報を入力したとき、入力した前記識別情報により識別される前記デジタルコンテンツを、前記記録媒体から読出すことを特徴とする、請求項２に記載のコンテンツ記録媒体を有するデジタル放送受信装置。
【請求項４】
前記放送コンテンツ抽出部から前記デジタルコンテンツが抽出されたとき、または前記コンテンツ読出部により前記記録媒体から前記デジタルコンテンツが読出されたとき該デジタルコンテンツを入力して、前記モニタに出力するためのモニタ出力部をさらに備える、請求項３に記載のコンテンツ記録媒体を有するデジタル放送受信装置。
【請求項５】
前記モニタ出力部によりデジタルコンテンツが前記モニタに出力されるとき、出力されるデジタルコンテンツは前記デジタル放送信号から抽出されたか、前記記録媒体から読出されたかを特定するための情報を前記モニタに出力する特定情報出力部をさらに備える、請求項４に記載のコンテンツ記録媒体を有するデジタル放送受信装置。
【請求項６】
前記特定情報は、出力されているデジタルコンテンツの前記識別情報を含む、請求項５に記載のコンテンツ記録媒体を有するデジタル放送受信装置。
【請求項７】
前記記録媒体にはハードディスクが含まれる、請求項２から６のいずれか１項に記載のコンテンツ記録媒体を有するデジタル放送受信装置。
【請求項８】
前記記録媒体にはＤＶＤが含まれる、請求項２から７のいずれか１項に記載のコンテンツ記録媒体を有するデジタル放送受信装置。
【発明の詳細な説明】
【０００１】
【発明の属する技術分野】
この発明はコンテンツ記録媒体を有するデジタル放送受信装置に関し、特に、所望されたデジタルコンテンツを選択する機能を有するコンテンツ記録媒体を有するデジタル放送受信装置に関する。
【０００２】
【従来の技術】
従来よりハードディスク記録・再生装置を内蔵したデジタル放送信号受信装置が提供されている。このような装置では、出力を所望するコンテンツはハードディスクから再生して取得するのかデジタル放送信号を受信して取得するのかを選択的に指定しなければならない。
【０００３】
このための指定方法としては、ハードディスクに予約録画された番組一覧が表示されている状態から記録番組を選択してリモコン送信機の決定キーを操作すれば、放送予定の番組ガイドを表示してこの番組ガイドから指定するものがある（たとえば、特許文献１参照）。また、チャンネル選択操作性の向上のために、チャンネル一覧にチャンネル番号およびチャンネル名などを表示して選択するものがある（たとえば、特許文献２参照）。
【０００４】
また、利用者の要求により蓄積されているコンテンツを、日時やチャンネルなどと共に一覧表示するものもある（特許文献３参照）。また、記憶装置に記憶された全番組案内情報を表示するものがある（特許文献４参照）。
【０００５】
【特許文献１】
特開２００２−２９０８８７公報
【０００６】
【特許文献２】
特開平１１−８８０７号公報
【０００７】
【特許文献３】
特開２００２−２６２２２５公報
【０００８】
【特許文献４】
特開平１０−２５７４４９号公報
【０００９】
【発明が解決しようとする課題】
このように従来は記憶されたコンテンツを視聴する場合、「再生タイトルの一覧表示」を呼出す特別なキー操作をし、その後、表示された一覧表の中から所望コンテンツを選択する操作が別途必要とされていたから、リモコンなどのキーとしてはメニュー表示や再生タイトル指定のためのユーザには馴染みないキーが設けられて煩雑になり、操作性に優れなかった。
【００１０】
それゆえにこの発明の目的は、簡単操作で出力を所望するコンテンツを指定できるコンテンツ記録媒体を有するデジタル放送受信装置を提供することである。
【００１１】
【課題を解決するための手段】
この発明のある局面に従うコンテンツ記録媒体を有するデジタル放送受信装置は、デジタル放送信号を受信する放送受信部と、予めデジタルコンテンツが記録されている記録媒体と、記録媒体からデジタルコンテンツを読出すコンテンツ読出部と、予め準備されたモニタに出力すべきデジタルコンテンツを切換えるために操作される切換部と、放送受信部で受信可能な１つ以上のチャンネルのそれぞれで放送されるデジタルコンテンツおよび記録媒体に記録されたデジタルコンテンツを少なくとも含むコンテンツ群から、切換部が操作される毎にモニタに出力すべきデジタルコンテンツを選択的に順次切換える出力コンテンツ切換制御部とを備える。
【００１２】
したがって、モニタに出力するデジタル放送信号によるデジタルコンテンツを選択切換えするための操作と、モニタに出力する記録媒体に記録されたデジタルコンテンツを選択切換えするための操作とを、切換部の操作にて共用できる。
【００１３】
それゆえに、モニタ出力を所望するデジタルコンテンツをデジタル放送信号によるものおよび媒体に記録されているもののいずれであっても、切換部の操作だけで指定することができる。
【００１４】
上述のコンテンツ記録媒体を有するデジタル放送受信装置において、好ましくは、出力コンテンツ切換制御部は、デジタル放送信号の１つ以上のチャンネルをそれぞれ識別する情報と記録媒体に記録された１つ以上のデジタルコンテンツをそれぞれ識別する情報とが登録された登録部と、切換部が操作される毎に、登録部に登録された識別情報を順次選択して、選択された識別情報を出力する選択部とを有する。そして、放送受信部は、選択部から出力された識別情報を入力したとき、受信するデジタル放送信号のうちから、入力した識別情報により識別されるチャンネルで放送されるデジタルコンテンツを抽出する放送コンテンツ抽出部を有する。そして、コンテンツ読出部は、選択部から出力された識別情報を入力したとき、入力した識別情報により識別されるデジタルコンテンツを、記録媒体から読出す。
【００１５】
したがって、モニタに出力するデジタルコンテンツを切換える出力コンテンツ切換制御部は、登録部に予め登録された識別情報を切換部の操作毎に、順次選択することにより出力コンテンツを切換え選択し、選択した識別情報を対応のデジタルコンテンツを供給できるコンテンツ読出部または放送コンテンツ抽出部に与える。
【００１６】
それゆえに、モニタ出力を所望するデジタルコンテンツがデジタル放送信号によるものおよび記録媒体に記録されているもののいずれであっても、その識別情報を予め登録部に登録しておくことにより、切換部の操作だけでモニタに出力することのできるデジタルコンテンツとすることができる。
【００１７】
好ましくは選択部は、選択した識別情報に基づいて、該識別情報を放送コンテンツ抽出部とコンテンツ読出部とのいずれかに出力する。したがって、選択した識別情報は該識別情報のデジタルコンテンツを取得することのできる対象に、すなわち放送コンテンツ抽出部およびコンテンツ読出部のいずれか一方に選択的に与えられる。
【００１８】
好ましくはコンテンツ記録媒体を有するデジタル放送受信装置は、放送コンテンツ抽出部から抽出されたとき、またはコンテンツ読出部から読出されたとき該デジタルコンテンツを入力して、モニタに出力するためのモニタ出力部をさらに備える。
【００１９】
したがって、切換部を操作してデジタルコンテンツを切換え選択する毎に、切換えられた新たなデジタルコンテンツをモニタに出力できる。
【００２０】
好ましくはコンテンツ記録媒体を有するデジタル放送受信装置は、モニタ出力部によりデジタルコンテンツがモニタに出力されるとき、出力されるデジタルコンテンツはデジタル放送信号から抽出されたか、記録媒体から読出されたかを特定するための情報をモニタに出力する特定情報出力部をさらに備える。
【００２１】
したがって、切換部を操作する毎にモニタに出力されるデジタルコンテンツが切換えられるとき、切換え出力されるデジタルコンテンツとともに特定情報が出力されるから、現在、モニタに出力されるデジタルコンテンツがデジタル放送信号を受信して取得しているものか、記録媒体に予め記録されたものを読出して取得したものかを速やかに特定できる。
【００２２】
好ましくは特定情報は、出力されているデジタルコンテンツの識別情報を含む。したがって、チャンネルの識別情報が出力されるときはモニタに出力中のデジタルコンテンツはデジタル放送信号から受信中のものであることがわかるし、そうでなければ記録媒体から読出されたデジタルコンテンツであるということを特定できる。
【００２３】
好ましくは登録部には、外部から供給されるデジタルコンテンツを識別する情報がさらに登録されて、コンテンツ記録媒体を有するデジタル放送受信装置は好ましくは制御部から出力された情報を入力したとき、外部から供給されるデジタルコンテンツのうちから入力した情報により識別されるデジタルコンテンツを入力してモニタに対して出力する外部コンテンツ入力手段をさらに備える。
【００２４】
したがって、切換部の操作により選択的に切換えられてモニタに出力されるデジタルコンテンツの種類に、コンテンツ記録媒体を有するデジタル放送受信装置に対して外部から供給されるデジタルコンテンツを含めることができる。
【００２５】
好ましくは記録媒体にはハードディスクが含まれる。したがって、切換部の操作によりモニタに選択的に切換えられて出力されるデジタルコンテンツの対象として、ハードディスクに予め記録されたデジタルコンテンツとデジタル放送信号により受信するデジタルコンテンツとを含めることができる。
【００２６】
好ましくは記録媒体にはＤＶＤが含まれる。したがって、切換部の操作によりモニタに選択的に切換えられて出力されるデジタルコンテンツの対象として、ＤＶＤに予め記録されたデジタルコンテンツとデジタル放送信号により受信するデジタルコンテンツとを含めることができる。
【００２７】
【発明の実施の形態】
以下、この発明の実施の形態について図面を参照して説明する。図１の記録メディア再生装置付デジタルチューナ１は、複数種類のデジタル記録メディア再生装置を内蔵し、記録メディアから再生されたコンテンツなど供給される各種コンテンツを、装置外部に予め接続されたモニタ装置１２に映像信号または音声信号として視聴可能なように出力する装置である。
【００２８】
記録メディア再生装置付デジタルチューナ１は、ＤＶＤ（Ｄｉｇｉｔａｌ  Ｖｅｒｓａｔｉｌｅ  Ｄｉｓｃ）再生装置２、図示されないハードディスクを内蔵し、該ハードディスクにデジタル情報を記録するとともに該ハードディスクからデジタル情報のコンテンツを再生するためのＨＤ（Ｈａｒｄ  Ｄｉｓｋ）装置３、放送局から送信されるデジタル放送信号ＤＳを受信する外部のアンテナ１３を接続するチューナ４、ＯＳＤ（Ｏｎ  Ｓｃｒｅｅｎ  Ｄｉｓｐｌａｙ）５１を内蔵するデコーダ５、メモリ６、映像出力部７、音声出力部８、リモコン（リモートコントローラの略）受信部９、制御部１０、リモコン１１、外部からデジタル情報を供給するための外部装置１５を接続する外部Ｉ／Ｆ（Ｉｎｔｅｒ  Ｆａｃｅ）１４を備える。
【００２９】
ＤＶＤ再生装置２は光ディスクに記録されたデジタルコンテンツの信号を読出す装置である。ＨＤ装置３は、ユーザ所望のデジタルコンテンツの信号をハードディスクに記録し、その記録したデジタルコンテンツの信号を読出す装置である。ここで、ハードディスクに記録される信号としては、たとえばＭＰＥＧ２（Ｍｏｔｉｏｎ  Ｐｉｃｔｕｒｅ  Ｅｘｐｅｒｔｓ  Ｇｒｏｕｐ  ２）規格に準拠する映像ファイルやＭＰ３（ＭＰＥＧ−１  Ａｕｄｉｏ  Ｌａｙｅｒ３）規格に準拠する音声ファイルなどが挙げられる。
【００３０】
チューナ４は、アンテナ１３を介して放送局から発信されるデジタル放送信号ＤＳを入力すると、制御部１０により指定されるチャンネルの放送信号（デジタルコンテンツの信号）を抽出して出力する。
【００３１】
デコーダ５は、ＤＶＤ再生装置２により再生されたデジタルコンテンツの信号、ＨＤ装置３がハードディスクから読出したデジタルコンテンツの信号、チューナ４が受信したデジタルコンテンツの信号および外部Ｉ／Ｆ１４を介して外部装置１５から入力したデジタルコンテンツの信号のうちのいずれかが制御部１０の切換制御により与えられると、与えられたそのデジタル信号を入力して復号（デコード）して出力する。デコーダ５が内蔵するＯＳＤ５１は制御部１０により与えられた情報に基づいて画像データを生成し、それをモニタ装置１２の画面に可視表示するために映像出力部７に対して出力する。
【００３２】
メモリ６には、チューナ４が受信可能な放送チャンネルが予めチャンネルスキャン（オートスキャン）して取得されて格納され、また、制御部１０の動作プログラムが格納される。音声出力部８は、デコーダ５が復号した音声信号をモニタ装置１２が出力可能な音声信号に変換してモニタ装置１２に対して出力する。リモコン受信部９は、赤外線を介してリモコン１１から発信される各種の指令信号を受信して、その指令信号を制御部１０に伝送する。制御部１０は、メモリ６に格納された動作プログラムに基づいて装置各部の制御を行なう。リモコン１１は、ユーザが各種の指令を入力するために操作される装置であり、該指令に対応する赤外線信号を発信する。
【００３３】
図２を参照して、リモコン１１には外部操作可能なように各種キーが設けられる。各種キーには、モニタ装置１２に表示するコンテンツを切換え指定するために操作されるキー１６と１７、記録メディア再生装置付デジタルチューナ１の電源をＯＮ／ＯＦＦするためのキー１８、デジタル放送信号ＤＳの受信チャンネルを個別に選択して切換えるためのチャンネル番号指定のためのテンキー１９が含まれる。キー１６と１７は、デジタル放送信号ＤＳについての受信チャンネルをＵＰ／ＤＯＷＮ操作により順番に切換えるとともに、モニタ装置１２に出力するデジタルコンテンツを順次切換え指定するために操作される。
【００３４】
ＨＤ装置３のハードディスクには、各種のデジタル情報のコンテンツ（デジタルコンテンツ）とともにチャンネルマップ３１が予め登録されている。図３を参照して、チャンネルマップ３１には記録メディア再生装置付デジタルチューナ１を介してモニタ装置１２にて出力可能な複数種類のデジタルコンテンツそれぞれのレコードが所定順番で登録されている。ここでは、デジタル放送信号ＤＳによるデジタル情報（デジタルコンテンツ）のレコード、外部装置１５から入力されるデジタル情報（デジタルコンテンツ）のレコード、およびＨＤ装置３に予め格納されたデジタル情報（デジタルコンテンツ）のレコードの順番に登録されているが、登録の順番はこれに限定されない。なお、デジタルコンテンツには、ＤＶＤ再生装置２のＤＶＤのデジタル情報が含まれていてもよい。
【００３５】
デジタルコンテンツのレコードそれぞれは該コンテンツを識別するための情報であり、データＤ１とＤ２を含む。データＤ１は、記録メディア再生装置付デジタルチューナ１で受信するデジタル放送信号ＤＳのチャンネルのデジタルコンテンツについては該デジタルコンテンツの放送信号の受信チャンネルを特定するための名称（ＣＨ１−０、ＣＨ２−１、…など）が当てられ、外部装置１５から入力するデジタルコンテンツについては外部入力を特定する名称（ＡＵＸ−１、ＡＵＸ−２）が当てられ、ＨＤ装置３に予め格納されたデジタルコンテンツについては記録時（ファイル削除またはファイル分割に際する記録時を含む）に作成されたファイル名称（Ｐｒｏｇｒａｍ１、Ｐｒｏｇｒａｍ２、…）などであって、ＨＤ装置３のハードディスクの所定領域に記録されてデジタルコンテンツを特定する情報が読出されて当てられる。
【００３６】
受信チャンネルの名称は、デジタル放送信号ＤＳについて受信可能なチャンネルを設定するチャンネルスキャン（オートスキャン）が予め記録メディア再生装置付デジタルチューナ１において実行されることにより取得されて、チャンネルマップ３１に登録されると想定する。
【００３７】
データＤ２については、対応のデータＤ１がデジタル放送信号ＤＳの受信チャンネルであれば“ＯＮ  ＡＩＲ”を割当てて、デジタル放送信号ＤＳの放送局がコンテンツの供給源であることを示し、対応のデータＤ１が外部入力の名称を示せば“ＡＵＸ  ｉｎｐｕｔ”を当てて、外部装置１５から対応コンテンツが供給されることを示し、対応のデータＤ１がＨＤ装置３に記録されたコンテンツのファイル名称を示せば“ｆｒｏｍ  ＨＤＤ”を当てて、対応コンテンツがＨＤ装置３のハードディスクから読出されて供給されることを示す。
【００３８】
チャンネルマップ３１はユーザがモニタ装置１２に出力を所望するコンテンツを選択するために制御部１０により参照（アクセス）される。具体的にはリモコン１１のキー１６または１７が押下される毎に、制御部１０はモニタ装置１２に出力するコンテンツを切換えて選択する。たとえば、図３に示すように、現在、矢印ＣＲで示されているコンテンツが選択されてモニタ装置１２に出力されていたと想定する。ユーザは、出力するコンテンツの切換を所望してキー１６を押下すると、押下する毎に制御部１０は矢印ＤＲ方向に１つずつ出力するコンテンツを切換選択し、選択したコンテンツをモニタ装置１２に出力するように制御し、逆にキー１７を押下すると、押下する毎に矢印ＵＲ方向に１つずつ出力するコンテンツを切換選択し、選択したコンテンツをモニタ装置１２に出力するように制御する。
【００３９】
キー１６と１７を操作する毎に、チャンネルマップ３１を参照して、モニタ装置１２に出力するデジタルコンテンツを順次切換選択して出力できる。このとき制御部１０は選択したデジタルコンテンツに対応のデータＤ２で示されるコンテンツ供給源を指定する情報に基づいてデコーダ５に与える信号を切換える。対応のデータＤ２が“ＯＮ  ＡＩＲ”を示せばデコーダ５に対してチューナ４の出力信号を与えるように切換え、“ＡＵＸ  ｉｎｐｕｔ”とあれば外部Ｉ／Ｆ１４の出力信号を与えるように切換え、“ｆｒｏｍ  ＨＤＤ”とあればＨＤ装置３の出力信号を与えるように切換える。
【００４０】
切換えた後は、制御部１０は該デジタルコンテンツのレコードのデータＤ１で示されるコンテンツを識別して指示されるコンテンツが導出されるように対応のデータＤ２で示される供給源を制御する。具体的には、チューナ４の出力信号に切換えられた場合には、データＤ１で示されるチャンネルの放送信号を受信するようにチューナ４を制御し、外部Ｉ／Ｆ１４の出力信号に切換えられている場合には外部装置１５から与えられる信号を入力するように外部Ｉ／Ｆ１４を制御し、ＨＤ装置３の出力信号に切換えられている場合にはデータＤ１で示されるコンテンツの名称に対応のデジタル情報をハードディスクから読出すようにＨＤ装置３を制御する。
【００４１】
図４（Ａ）と（Ｂ）にはモニタ装置１２の表示画面１２１の例が示される。図４（Ａ）には、モニタ装置１２に出力するコンテンツとしてデジタル放送信号ＤＳが選択された場合の表示画面１２１が示されて、図４（Ｂ）にはＨＤ装置３に記録されたデジタル情報が選択された場合の表示画面１２１が示される。
【００４２】
図４（Ａ）にはデジタル放送信号ＤＳによるデジタルコンテンツの映像・音声と共に、該デジタルコンテンツを識別する情報がＯＳＤ５１により示される。具体的には同一画面の部分１２１と１２２に該デジタルコンテンツによる放送番組のタイトル名と受信チャンネルの名称がそれぞれ示される。表示されるタイトル名は受信した放送信号ＤＳに含まれて放送局から送信されてくるので、受信した放送信号から制御部１０が取得してＯＳＤ５１を介して表示することができる。またチャンネルの名称はデータＤ１を読出しＯＳＤ５１を介して表示することができる。したがって、ユーザは切換えたチャンネルの番号や放送番組のタイトルを知ることができるから利便性に優れる。
【００４３】
図４（Ｂ）にはＨＤ装置３から読出したデジタルコンテンツによる映像・音声とともに、該デジタルコンテンツを識別する情報がＯＳＤ５１により表示される。具体的には同一画面の部分１２１と１２２にデジタルコンテンツの名称（タイトル名）とＨＤ装置３における該コンテンツを特定するためのインデックス番号とが制御部１０によりＨＤ装置３１を介して取得されて、取得情報に基づきＯＳＤ５１によりそれぞれ表示される。これらの情報はハードディスクの所定領域から読出すことにより得られる。なお、インデックス番号に代替して該コンテンツがハードディスクから読出されたことを識別するためのアイコンが表示されるようにしてもよい。したがって、ＨＤ装置３から読出されたコンテンツが出力されるときは、該コンテンツの内容（映像、音声）とともに、該コンテンツを特定するための名称（タイトル名）やインデックス番号が表示されるのでユーザは視聴しているコンテンツが所望するものか否かを速やかに確認できる。
【００４４】
図４（Ａ）と（Ｂ）の画面を参照すると、部分１２１と１２２の情報を確認することにより、現在選択してモニタ装置１２に出力しているデジタルコンテンツがデジタル放送信号ＤＳのチャンネル選択により取得されたものか、ハードディスクに記録されたデジタルコンテンツを選択することにより取得されたものかを、一目で識別することができる。
【００４５】
図５のフローチャートに従い、チャンネルマップ３１を参照したコンテンツ選択切換の手順について説明する。
【００４６】
リモコン１１のキー１８が操作されると、この操作による指令信号はリモコン受信部９を介して制御部１０に与えられるので、制御部１０は記録メディア再生装置付デジタルチューナ１の電源を入れる（ステップＳ（以下、単にＳと略す）１）。
【００４７】
次に、制御部１０はＨＤ装置３からチャンネルマップ３１を読出す（Ｓ２）。その後、制御部１０はリモコン受信部９からの入力信号に基づいてユーザによりキー１６または１７が操作されたか否か判定する（Ｓ３）。
【００４８】
今、チャンネルマップ３１においては矢印ＣＲに示されるように（図３参照）、データＤ１が“Ｐｒｏｇｒａｍ２”であるコンテンツが指示されてモニタ装置１２に出力されていると想定する。ここで、ユーザがキー１６を押下すると、矢印ＣＲで示されるモニタ装置１２に出力すべきコンテンツは、図３の矢印ＵＲ方向に移動して、１つ上の“Ｐｒｏｇｒａｍ１”が指示される。その後、キー１６が押下される毎に１つ上に位置するコンテンツが指示される。一方、キー１７が押下された場合には、矢印ＣＲで示されるモニタ装置１２に出力するコンテンツは、矢印ＤＲ方向に移動して１つ下のコンテンツを指示するようになる。その後キー１７が押下される毎に、１つずつ下に位置するコンテンツが指示されるようになる。
【００４９】
このようにしてデジタル放送信号ＤＳについてのチャンネルのアップ／ダウンのキー操作およびハードディスクに記録されたデジタルコンテンツの選択のためのキー操作を、キー１６または１７の操作よりして、モニタ装置１２に出力すべきコンテンツが切換えられて指定されると（Ｓ４）、切換指定されたコンテンツのデジタル情報についての取得がなされる（Ｓ５）。
【００５０】
たとえば、データＤ２が“ＯＮ  ＡＩＲ”であるコンテンツが指定された場合には、制御部１０はデコーダ５への入力をチューナ４に切換えて、デジタル放送信号ＤＳから対応のデータＤ１に示されるチャンネルの信号を抽出するように、対応のデータＤ１をチューナ４に与えるので、チューナ４はデータＤ１に基づいてチューニング動作する。データＤ２が“ＡＵＸ  ｉｎｐｕｔ”を示すコンテンツが指定された場合には、制御部１０はデコーダ５の入力を外部Ｉ／Ｆ１４に切換えて、対応のデータＤ１を外部Ｉ／Ｆ１４に与えるので、外部Ｉ／Ｆ１４はデータＤ１で示される種類の外部入力を取込むように動作する。データＤ２が“ｆｒｏｍ  ＨＤＤ”を示すコンテンツが指定された場合には、制御部１０はデコーダ５の入力をＨＤ装置３に切換えて、対応のデータＤ１をＨＤ装置３に与えるので、ＨＤ装置３はデータＤ１が示すデジタルコンテンツをハードディスクから読出す。
【００５１】
このようにして取得されたコンテンツのデジタル情報はモニタ装置１２に出力される。具体的には、このようにして取得されたコンテンツのデジタル情報はデコーダ５に与えられて、デコーダ５によりデコード処理されて映像出力部７または音声出力部８を介してモニタ装置１２に図４（Ａ）または（Ｂ）の画面として出力される（Ｓ６）。
【００５２】
以上のようにこの実施の形態によれば、複雑な操作がなくても、ユーザはキー１６または１７の共通した操作によりモニタ装置１２を介して視聴可能なコンテンツを、すなわちチャンネルマップ３１に登録されている各種のデジタルコンテンツ（デジタル放送信号ＤＳによるデジタルコンテンツ、ハードディスクに記録されたデジタルコンテンツ、外部入力によるデジタルコンテンツ）を一巡（切換指定）させることができる。また、切換指定に連動して切換えられたコンテンツのモニタ装置１２を介した視聴動作に自動的に移行することができる（選局後自動再生）。
【００５３】
なお、本発明は上述の実施の形態の構成に限られることなく種々の変形が可能であり、たとえばデジタルコンテンツを再生する装置は、ＨＤ装置３やＤＶＤ再生装置２に限られることなく、ＣＤ−ＲＯＭ（Ｃｏｍｐａｃｔ  Ｄｉｓｃ  Ｒｅａｄ  Ｏｎｌｙ  Ｍｅｍｏｒｙ）再生装置その他の光磁気ディスク再生装置を適用してよい。また、デジタルコンテンツを記録・再生する装置はＨＤ装置３やＤＶＤ装置２に限定されることなく、大容量のデジタルデータを高速に記録・再生可能な他の装置であってもかまわない。
【００５４】
また、ここでは、モニタ装置１２に出力するコンテンツを選択的に指定するためにリモコン１１を用いたが、記録メディア再生装置付デジタルチューナ１の図示されないフロントパネルにキー１６および１７に相当する機能のキーを設けて、フロントパネルから操作して指示を与えるようにしてもよい。
【００５５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５６】
【発明の効果】
本発明によれば、モニタに出力を所望するデジタルコンテンツをデジタル放送信号によるものおよび記録媒体に記録されているもののいずれであっても、切換部の共通した操作で指定することができる。
【００５７】
また、切換部を操作してデジタルコンテンツを切換え選択する毎に、切換えられた新たなデジタルコンテンツをモニタに出力できる。
【００５８】
また、切換部を操作する毎にモニタに出力されるコンテンツが切換えられるとき、切換え出力されるデジタルコンテンツとともに特定情報が出力されるから、現在、モニタに出力されるデジタルコンテンツがデジタル放送信号を受信して取得しているものか、記録媒体に予め記録されたものを読出して取得したものかの別を速やかに特定できる。
【図面の簡単な説明】
【図１】この発明の実施の形態に係る記録メディア再生装置付デジタルチューナの構成図である。
【図２】この発明の実施の形態に係るリモコンのキー配置例を示す図である。
【図３】この発明の実施の形態に係る記録されたチャンネルマップの内容例を示す図である。
【図４】（Ａ）と（Ｂ）はモニタ装置における表示画面例を示す図である。
【図５】この発明の実施の形態に係るコンテンツの切換選択の手順を示すフローチャートである。
【符号の説明】
１  記録メディア再生装置付デジタルチューナ、２  ＤＶＤ再生装置、３  ＨＤ装置、４  チューナ、５  デコーダ、１０  制御部、１１  リモコン、１２  モニタ装置、１４  外部Ｉ／Ｆ、１６，１７  キー、３１  チャンネルマップ、５１  ＯＳＤ。
【図１】
2004328499.tif 000003
【図２】
2004328499.tif 000004
【図３】
2004328499.tif 000005
【図４】
2004328499.tif 000006
【図５】
2004328499.tif 000007